(57)【要約】【課題】専用工具を要することなくユーザーにともっても簡単にベゼルを脱着することが可能な時計を提供することにある。【解決手段】カバーガラス１４が取付けられる胴１３の環状凸部１５の外周に、雄ねじ部１６、この下方に離れた環状溝１７、及び環状溝１７と雄ねじ部１６との間に位置する環状の逃げ溝１８を設ける。環状溝１７にこの溝より突出する軟質でかつ弾性を有する係合リング１９を取付ける。ベゼル２１Ａの内周に、逃げ溝１８に配置されて雄ねじ部１６に脱着可能な雌ねじ部２３と、この下方に位置してリング１９の外周部に密接される斜状のストッパ面２４ｂ付きの環状係合凸部２４とを設ける。リング１９がストッパ面２４ｂに密接しているベゼル２１Ａの取付け状態からベゼル２１Ａが外れる方向にねじ部１６、２３を螺合させて、ベゼル２１Ａを回転させるに伴い、係合凸部２４がリング１９を乗越えてベゼル２１Ａが外れるようにしている。【選択図】    図２
2005030924.tif 000002
【特許請求の範囲】
【請求項１】
カバーガラスと、
このガラスが内周に取付けられる環状凸部を有し、この環状凸部の外周に設けられた雄ねじ部、この雄ねじ部の下方に離れて前記環状凸部の外周に設けられた環状溝、及びこの環状溝と前記雄ねじ部との間に設けられた環状の逃げ溝を有する胴と、
前記環状溝にこの溝より突出して取付けられた軟質でかつ弾性を有する係合リングと、
前記雄ねじ部に脱着可能で前記雄ねじ部を通過して前記逃げ溝に配置される雌ねじ部、及びこの雌ねじ部の下方に設けられて前記係合リングの外周部に密接される斜状のストッパ面付きの環状の係合凸部を有するベゼルと、
を具備した時計。
【請求項２】
カバーガラスと、
このガラスが内周に取付けられる環状凸部、この環状凸部の外周に設けられた雄ねじ部、この雄ねじ部の下方に離れて前記環状凸部の外周に設けられた斜状のストッパ面付きの環状の係合凸部、及びこの係合凸部と前記雄ねじ部との間に設けられた環状の逃げ溝を有する胴と、
前記雄ねじ部に脱着可能で前記雄ねじ部を通過して前記逃げ溝に配置される雌ねじ部、及びこの雌ねじ部の下方に設けられた環状溝を有するベゼルと、
前記環状溝にこの溝より突出して取付けられ内周部が前記ストッパ面に密接される軟質でかつ弾性を有する係合リングと、
を具備した時計。
【請求項３】
請求項１又は２に記載の時計において、前記ベゼルが周方向に回転調節可能である。
【発明の詳細な説明】
【０００１】
【発明の属する技術分野】
本発明は、腕時計や懐中時計などの時計に係り、特に、脱着可能なベゼルを備えた時計に関する。
【０００２】
【従来の技術】
ベゼルを脱着可能とすることは、ベゼルの損傷に伴う同種ベゼルの交換によるメンテナンスをする点からも、意匠が違う異種ベゼルとの交換により装飾的効果を任意に変更できる点で好ましい。
【０００３】
べゼルの脱着のために、第１従来例として、カバーガラスが内周に取付けられる胴の環状をなす段部の外周に環状の突条を形成し、この突条に回転ベゼルの内周に環状に形成した他の突条を下方より係合させた腕時計が知られている（例えば特許文献１及び特許文献２参照）。
【０００４】
第２従来例として、胴の環状をなす段部とこれに嵌合される回転ベゼルとの対向面に夫々環状溝を形成し、これらの溝にわたって多角ばねを嵌合して、段部から回転ベゼルが抜けないように係止した腕時計が知られている（例えば特許文献１参照）。
【０００５】
更に、第３従来例として、回転ベゼルを外側ベゼルとこれに脱着可能に螺合される内側ベゼルとで形成し、胴の環状をなす段部から回転ベゼルが抜けないように外側ベゼルを多角ばねを用いて段部に係止した腕時計が知られている（例えば特許文献１参照）。
【０００６】
【特許文献１】
特開平１０−２３９４５４号公報（段落０００３−０００５、段落００１８−００２８、図１−図５、図１９−図２３）
【０００７】
【特許文献２】
特開平５−３１２９７２号公報（図１−図２）
【０００８】
【発明が解決しようとする課題】
第１従来例では、胴とベゼルとの結合が強い。このため、胴からベゼルを外すには、ベゼルとの間に薄板状の専用工具を挿入し、この工具でベゼルをこじ開けて行わなければならない。したがって、操作上大きな力を要し、それに伴ってベゼルを損傷する恐れが高いとともに、胴にベゼルを組み付ける際にも大きな操作力を要する。
【０００９】
第２従来例では、多角ばねを直接変形させることができないので、ベゼルとの間に薄板状の専用工具を挿入し、この工具でベゼルをこじ開けて胴からベゼルを外す操作を余儀なくされている。更に、多角ばねはその部品コストが高い。
【００１０】
第３従来例では、胴からベゼルを外すのに、はじめに外側ベゼルに対して内側ベゼルを外してから、多角ばねを変形させて外側ベゼルを胴から外すことができる。しかし、外側ベゼルに対する内側ベゼルの脱着は、内側ベゼルをそれに設けた複数の凹部に引っ掛かる工具を用いて回転させなければならないので、専用工具を必要とすることには変わりがない。更に、多角ばねを変形させる場合に、内側ベゼル用の工具とは別に多角ばね用の専用工具を必要とする。しかも、多角ばねはその部品コストが高い。
【００１１】
以上のようにいずれの従来においても、少なくとも胴からベゼルを外すには、専用工具を用いなければならない。このため。例えば意匠が違う異種ベゼルの提供が可能であるとしても、それをユーザーにおいて簡単に交換することは難しい。勢い、ベゼルの脱着は時計店等に依頼することを余儀なくされており、ユーザーにとって不便である。
【００１２】
本発明が解決しようとする課題は、専用工具を要することなくユーザーにとっても簡単にベゼルを脱着し得る時計を提供することにある。
【００１３】
【課題を解決するための手段】
前記課題を解決するために、本発明は、カバーガラスが取付けられる胴の環状凸部の外周に、雄ねじ部と、この雄ねじ部の下方に離れた環状溝と、これら環状溝と雄ねじ部との間に位置する環状の逃げ溝とを夫々設け、環状溝にこの溝より突出する軟質でかつ弾性を有する係合リングを取付け、ベゼルには、雄ねじ部に脱着可能でこの雄ねじ部を通過して逃げ溝に配置される雌ねじ部と、この雌ねじ部の下方に位置して係合リングの外周部に密接される斜状のストッパ面を有する環状の係合凸部とを夫々設けている。
【００１４】
この発明では、胴に支持された係合リングとベゼルが有する係合凸部のストッパ面との係合により、ベゼルを胴に取付け保持できる。この取付け状態から、ベゼルを引き上げてその雌ねじ部を雄ねじ部に螺合させるとともに、ベゼルを外れる方向に回転させるに伴い、ベゼルの係合凸部を胴に支持された係合リングに乗り越えさせて、ベゼルを外すことができる。
【００１５】
同様に、前記課題を解決するために、本発明は、カバーガラスが取付けられる胴の環状凸部外周に、雄ねじ部と、この雄ねじ部の下方に離れて斜状のストッパ面を有した環状の係合凸部と、これら係合凸部と雄ねじ部との間に位置する環状の逃げ溝とを夫々設け、ベゼルには、雄ねじ部に脱着可能でこの雄ねじ部を通過して環状逃げ溝に配置される雌ねじ部と、この雌ねじ部の下方に位置する環状溝とを夫々設け、環状溝にこの溝より突出して内周部がストッパ面に密接される軟質でかつ弾性を有する係合リングを取付けている。
【００１６】
この発明では、ベゼルに支持された係合リングと胴が有する係合凸部のストッパ面との係合により、ベゼルを胴に取付け保持できる。この取付け状態から、ベゼルを引き上げてその雌ねじ部を雄ねじ部に螺合させるとともに、ベゼルを外れる方向に回転させるに伴い、ベゼルに支持された係合リングを胴の係合凸部に乗り越えさせて、ベゼルを外すことができる。
【００１７】
本発明は、ベゼルが周方向に回転調節可能な好ましい形態を含んでいる。
【００１８】
【発明の実施の形態】
以下、図１〜図３を参照して本発明の第１実施形態を説明する。
【００１９】
図１中符号１１は例えば腕に装着して使用される携帯時計を示している。この携帯時計１０が備える時計外装組立１１内には図示しない時計ムーブメント及び文字板等が収容されている。時計外装組立１１は、図２に示すように金属又は合成樹脂により環状に作られた胴１３を備えており、この胴１３の厚み方向一面（正面）にカバーガラス１４を液密に装着するとともに、胴１３の厚み方向他面（裏面）に図示しない裏蓋を取外し可能に螺着して形成されている。カバーガラス１４を通して文字板は視認可能である。
【００２０】
胴１３にはその正面方向に突出する環状凸部１５が一体に形成されている。この環状凸部１５の内周にカバーガラス１４が装着されている。なお、図２中符号１３ａは環状凸部１５の根元に好ましくは直角に連なる外装表面を示している。
【００２１】
図２に示すように環状凸部１５の外周には、雄ねじ部１６、環状溝１７、及び逃げ溝１８が夫々設けられている。詳しくは、雄ねじ部１６は環状凸部１５の先端部外周に形成されている。環状溝１７は、雄ねじ部１６の下方に離れて、言い換えれば、雄ねじ部１６より外装表面１３ａに寄せて設けられている。逃げ溝１８は、環状であって、雄ねじ部１６と環状溝１７との間に設けられている。逃げ溝１８の奥の溝底面は雄ねじ部１６の谷底の位置よりも胴１３の胴内空間１３ｂ側に寄って位置されている。つまり、逃げ溝１８は雄ねじ部１６の谷底よりも深く形成されている。なお、胴内空間１３ｂには時計ムーブメントなどが収容されている。逃げ溝１８の溝幅Ａは雄ねじ部１６の幅よりも大きい。
【００２２】
環状凸部１５の外周には、軟質でかつ弾性を有する係合リング１９が環状溝１７に嵌合して取付けられている。係合リング１９は、合成樹脂製又はゴム製（天然ゴムおよび合成ゴムを含む）であって、環状溝１７から突出されている。係合リング１９の外周部は、上部斜状面１９ａと下部斜状面１９ｂとを有して、この係合リング１９の厚み方向中央部程突出するよう側に先細状に形成されている。これにより、係合リング１９の断面は例えば将棋の駒のような略５角形状をなしている。なお、係合リング１９の外周部は、この係合リング１９の厚み方向に半円状をなしていてもよい。係合リング１９の外径Ｃは、雄ねじ部１６の外径Ｄより大きい。
【００２３】
時計外装組立１１は、胴１３に取外し可能に装着されて飾りリングとして機能するベゼル２１Ａを備えている。ベゼル２１Ａは、金属又は合成樹脂等により環状に作られており、環状凸部１５を被って例えば周方向の位置を回転により調節可能に取付けられている。ベゼル２１Ａは、環状凸部１５の端面と対向するカバー部２１ａを有しているとともに、このべゼル２１Ａの周部には、ベゼル２１Ａを回転させる際に指が滑らないようにするための複数ないしは多数の溝２２（図１参照）が所定間隔で設けられている。
【００２４】
図２に示すようにベゼル２１Ａの内周には、その脱着を可能とするための雌ねじ部２３と係合凸部２４とが夫々設けられている。詳しくは、雌ねじ部２３は、胴１３の雄ねじ部１６に脱着可能に螺合されるものであって、雄ねじ部１６の長さＢと同じかそれより短い長さＥを有している。係合凸部２４は、雌ねじ部２３の下方に離れて、言い換えれば、ベゼル２１Ａの裏面開口に寄せて環状に形成されている。この係合凸部２４は、その下部にガイド斜面２４ａを有しているとともに、上部に斜状のストッパ面２４ｂを有している。図２中符号Ｆは係合凸部２４の高さを示している。ストッパ面２４ｂは、ガイド斜面２４ａから雌ねじ部２３に向かうに従い次第に後退する面で作られている。係合凸部２４の最小内径Ｇは、係合リング１９の外径Ｃより小さいとともに、雄ねじ部１６の外径Ｄより大きい。
【００２５】
図３（Ａ）（Ｂ）中符号２１Ｂ、２１Ｃは、前記ベゼル２１Ａとは異種のベゼルを示しており、これらは図３（Ａ）（Ｂ）に示されるようにベゼル正面に夫々異なる経過時間表示Ｓを有している。これらベゼル２１Ｂ、２１Ｃの内周には、ベゼル２１Ａの内周に設けた雌ねじ部２３及び係合凸部２４と同一の雌ねじ部及び係合凸部（いずれも図示しない）が夫々設けられている。これらベゼル２１Ｂ、２１Ｃは交換部品として用意され、例えば腕時計１０の購入時に予め購入されるか、時計販売店にて必要に応じて都度購入されるものである。
【００２６】
ベゼル２１Ａは以下の手順で胴１３に装着される。まず、ベゼル２１Ａを、環状凸部１５に被せる。この場合、係合凸部２４の最小内径Ｇが雄ねじ部１６の外径Ｄより大きいので、雄ねじ部１６によってその下方に係合凸部２４を配置させる操作が妨げられることがない。
【００２７】
前記被せ動作に伴い、ベゼル２１Ａの雌ねじ部２３が胴１３の雄ねじ部１６に当たるので、この時点から雌ねじ部２３が雄ねじ部１６にねじ込まれる方向にベゼル２１Ａを締め付け方向に回転させる。このねじ込み操作により、ベゼル２１Ａが胴１３の外装表面１３ａに近付けられるので、ねじ込みの途中で係合凸部２４のガイド斜面２４ａが係合リング１９の上部斜状面１９ａに当接する。しかし、ベゼル２１Ａのねじ込みは継続しているので、このねじ込みによるベゼル２１Ａの移動で、係合凸部２４の突端が、係合リング１９を弾性変形させながら、この係合リング１９の外周突端を通過する。
【００２８】
この通過後に、雌ねじ部２３が、雄ねじ部１６を下方に通過して、この雄ねじ部１６の下側の逃げ溝１８に収容され、ベゼル２１Ａは空回りするようになる。この状態でベゼル２１Ａは外装表面１３ａに当たるように押し込まれる。これにより、係合リング１９の弾性反発力でその外周が係合凸部２４の斜状のストッパ面２４ｂに密接されて、ベゼル２１Ａの取付けが完了する。このベゼル取付け状態を図２に示す。
【００２９】
この状態では、係合リング１９の外周が係合凸部２４のストッパ面２４ｂに弾性的に密接しているので、係合リング１９がストッパとして機能しベゼル２１Ａが上方に抜けることがないとともに、係合リング１９の摩擦力でベゼル２１Ａが不用意に周方向に回転されることもない。しかし、使用者がベゼル２１Ａを意図的に回転させる場合には、前記摩擦力に抗してベゼル２１Ａを所定の回転位置に回転させることが可能である。
【００３０】
ベゼル２１Ａと胴１３の外装表面１３ａとの間に詰まった塵を取除く場合等、ベゼル２１Ａを胴１３から取外す場合には、以上の取付けと逆の手順で実施できる。
【００３１】
すなわち、始めに、係合リング１９の弾性力に抗して手でベゼル２１Ａを引き上げつつ、ベゼル２１Ａを緩む方向に回転させることにより、ベゼル２１Ａの雌ねじ部２３を胴１３の雄ねじ部１６にかみ合わせることができる。そして、この時点以降、更に、緩み方向へのベゼル２１Ａの回転を継続させて、前記噛合いによってベゼル２１Ａを上方に移動させることにより、係合凸部２４を係合リング１９に乗り越えさせることができる。この後に雄ねじ部１６に対する雌ねじ部２３の噛合いがはずれるので、ベゼル２１Ａを取外すことができる。
【００３２】
以上のようにベゼル２１Ａを胴１３に脱着するのに、格別な工具を要することなく簡単な手作業で実施することができる。このため、ユーザーにおいても、又、時計販売店の専門家においても、ベゼル２１Ａ等が損傷を負わせることなく、ベゼル２１Ａを脱着できる。
【００３３】
したがって、図１に示すベゼル２１Ａを、これと同種で色違いの図示しないベゼルに交換する場合、又は、図３（Ａ）や図３（Ｂ）に示す異種のベゼル２１Ｂ、２１Ｃに交換する場合にも、ユーザーにおいて、既述の手順で容易に交換である。こうしたベゼルの交換により、携帯時計１０の印象を大きく変えることが可能である。又、第１実施形態では係合リング１９を胴１３に取付けているので、この係合リング１９を交換されるベゼルに対して共通部品とできる点で優れている。
【００３４】
図４は本発明の第２実施形態を示している。この実施形態は基本的には第１実施形態と同じであるので、同じ構成部分には第１実施形態と同じ符号を付して、その構成および作用の説明を省略し、以下異なる部分について説明する。
【００３５】
第２実施形態では、胴１３にその外装表面１３ａに開放する環状の溝３１を形成し、この溝３１に節度用の板ばね３２を収容している。板ばね３２は、環状ベース部３２ａの裏面に折り曲げた複数のストッパ片３２ｂ（一つのみ図示）を、溝３１の一部に連続する係止穴３３に挿入することにより、回り止めされている。板ばね３２の表面には先端に係止端部を折り曲げた複数のばね片３２ｃ（一つのみ図示）が斜めに切起こされている。又、ベゼル２１Ａの下面には周方向に一定間隔ごとに係止凹部３４が設けられている。
【００３６】
ばね片３２ｃの係止端部は、ベゼル２１Ａの回転操作に伴って、ばね片３２ｃの弾性変形を伴って係止凹部３４に係脱されるので、それによりベゼル２１Ａの回転に一定角度ごとに節度を与えることができる。このベゼル２１Ａの回転を一方向に規制する場合には、例えば係止端部を、側面視横向きのＳ字状に作るとともに、係止凹部３４のベゼル回転方向前側の凹部壁面を略垂直状とすることにより、ベゼル２１Ａが逆転した場合に、略垂直状の凹部壁面が係止端部の先端に当たって、ベゼル２１Ａの逆転を妨げるようにすることもできる。なお、以上説明した点以外の構成は、図４に示されない構成を含めて第１実施形態と同じである。
【００３７】
したがって、第２実施形態でも、第１実施形態と同様な作用を得て、本発明の課題を解決できる。
【００３８】
図５は本発明の第３実施形態を示している。この実施形態は基本的には第１実施形態と同じであるので、同じ構成部分には第１実施形態と同じ符号を付して、その構成および作用の説明を省略し、以下異なる部分について説明する。
【００３９】
第３実施形態では、係合リング１９を、胴１３の環状凸部１５に取付けることに代えて、ベゼル２１Ａの内周に形成した環状溝１７に取付けているとともに、これに応じて環状の係合凸部２４をベゼル２１Ａの内周に設けることに代えて胴１３の環状凸部１５に設けている。
【００４０】
この場合、係合凸部２４の最大径Ｈ及び係合リング１９の内径Ｉは、いずれも雄ねじ部１６の外径Ｄより大きい。又、係合凸部２４の最大径Ｈは係合リング１９の内径Ｉより大きい。このため、ベゼル２１Ａが胴１３に装着された状態では、係合リング１９の内周部は、係合凸部２４の外周突端を下方に乗り越えて、下方から上向きにせり上がっている係合凸部２４の下部に位置する斜状のストッパ面２４ｂに弾性的に密接した状態にある。この密接によってベゼル２１Ａが胴１３に支持されている。なお、以上説明した点以外の構成は、図５に示されない構成を含めて第１実施形態と同じである。
【００４１】
したがって、第３実施形態でも、第１実施形態で説明した既述の手順で工具を用いることなくベゼル２１Ａを胴１３に脱着することが可能であるので、本発明の課題を解決できる。
【００４２】
なお、前記各実施形態では、ベゼルを任意に回転させることができる回転ベゼルとして機能するようにしたが、ベゼルは回転しないもの、若しくは、回転が一定角度に制限されるものであってもよい。又、本発明は置き時計にも適用可能である。
【００４３】
【発明の効果】
本発明によれば、胴の環状凸部又はベゼルの一方に取付けた係合リングを、他方に設けた係合凸部の斜状のストッパ面に弾性的に密接させて、ベゼルの取付け状態を保持するとともに、環状凸部の雄ねじ部に対して脱着されるベゼルの雌ねじ部との噛合いによりベゼルを移動させて、係合凸部と係合リングとを相対的に係脱させることができるようにしたので、専用工具を要することなくユーザーにともっても簡単にベゼルを脱着することが可能な時計を提供できる。
【図面の簡単な説明】
【図１】本発明の第１実施形態に係る携帯時計を示す斜視図。
【図２】図１の携帯時計の一部を拡大して示す断面図。
【図３】（Ａ）（Ｂ）は図１の携帯時計のベゼルを異種のベゼルと交換した状態を示す平面図。
【図４】本発明の第２実施形態に係る携帯時計の一部を示す断面図。
【図５】本発明の第３実施形態に係る携帯時計の一部を示す断面図。
【符号の説明】
１１…携帯時計（時計）
１２…時計外装組立
１３…胴
１４…カバーガラス
１５…環状凸部
１６…雄ねじ部
１７…環状溝
１８…逃げ溝
１９…係合リング
１９ａ…上部斜状面
１９ｂ…下部斜状面
２１Ａ、２１Ｂ、２１Ｃ…ベゼル
２３…雌ねじ部
２４…係合凸部
２４ａ…ガイド斜面
２４ｂ…ストッパ面
【図１】
2005030924.tif 000003
【図２】
2005030924.tif 000004
【図３】
2005030924.tif 000005
【図４】
2005030924.tif 000006
【図５】
2005030924.tif 000007